【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
化学薬剤を組織に送達する際に使用するための送達部材であって、前記送達部材は、複数の離散的な分離可能区分を含む本体を備え、各区分は、内部空洞を画定する筐体と、前記筐体から延在する貫通部材とを含む、送達部材。
【請求項２】
前記貫通部材は、前記組織を通した前記送達部材の通過を促進するように構成される、請求項１に記載の送達部材。
【請求項３】
前記貫通部材は、構成が鋭利である、請求項２に記載の送達部材。
【請求項４】
各区分は、構成が同一である、請求項１に記載の送達部材。
【請求項５】
前記筐体は、対向する第１の端部および第２の端部を含み、前記第１の端部は、その中に形成された開口部を含み、前記貫通部材は、前記第２の端部から延在する、請求項１に記載の送達部材。
【請求項６】
前記複数の区分は、印加された張力が隣接する区分を分離するような構成および寸法にされる、請求項１に記載の送達部材。
【請求項７】
前記複数の区分は、
その中に形成された開口部を有する第１の筐体と、前記第１の筐体から延在する第１の貫通部材とを伴う、第１の区分と、
その中に形成された開口部を有する第２の筐体と、前記第２の筐体から延在する第２の貫通部材とを伴う、第２の区分と
を含む、請求項６に記載の送達部材。
【請求項８】
前記第１の貫通部材は、前記第２の筐体内に位置付けられる、請求項７に記載の送達部材。
【請求項９】
前記第２の筐体内の前記開口部は、前記第１の貫通部材によって画定される最大の横断面寸法より小さい横断面寸法を画定する、請求項８に記載の送達部材。
【請求項１０】
前記第１の区分および第２の区分は、前記送達部材に印加される張力が、前記第１の貫通部材および／または前記第２の筐体内の前記開口部を変形させるように、弾性材料から形成され、それによって、前記第１の区分および第２の区分を分離するように、前記第１の貫通部材が前記第２の筐体から抜去されることを可能にする、請求項９に記載の送達部材。
【請求項１１】
前記複数の区分はさらに、
その中に形成された開口部を有する第３の筐体と、前記第３の筐体から延在する第３の貫通部材とを伴う、第３の区分と、
その中に形成された開口部を有する第４の筐体と、前記第４の筐体から延在する第４の貫通部材とを伴う、第４の区分と
を含む、請求項１０に記載の送達部材。
【請求項１２】
前記第３の貫通部材は、前記第４の筐体内に位置付けられる、請求項１１に記載の送達部材。
【請求項１３】
前記第４の筐体内の前記開口部は、前記第３の貫通部材によって画定される最大の横断面寸法より小さい横断面寸法を画定する、請求項１２に記載の送達部材。
【請求項１４】
前記第３の区分および第４の区分は、前記送達部材に印加される張力が、前記第３の貫通部材および／または前記第４の筐体内の前記開口部を変形させるように、弾性材料から形成され、それによって、前記第３の区分および第４の区分を分離するように、前記第３の貫通部材が前記第４の筐体から抜去されることを可能にする、請求項１３に記載の送達部材。
【請求項１５】
血管を処置する際に使用するためのシステムであって、
前記血管の管腔に挿入可能なガイドカテーテルであって、前記ガイドカテーテルは、内部通路を画定する、ガイドカテーテルと、
前記ガイドカテーテルの前記内部通路に挿入可能な送達部材であって、前記送達部材は、複数の離散的な分離可能区分を含み、各区分は、抗再狭窄剤を含む、送達部材と
を備える、システム。
【請求項１６】
各区分は、構成が同一である、請求項１５に記載のシステム。
【請求項１７】
各区分は、内部空洞を画定する筐体と、前記血管を含む組織を通した前記送達部材の通過を促進するように構成される、前記筐体から延在する貫通部材とを含む、請求項１５に記載のシステム。
【請求項１８】
前記複数の区分は、前記送達部材に印加される張力が隣接区分を分離するような構成および寸法にされる、請求項１７に記載のシステム。
【請求項１９】
前記複数の区分は、
その中に形成された開口部を有する第１の筐体と、前記第１の筐体から延在する第１の貫通部材とを伴う、第１の区分と、
その中に形成された開口部を有する第２の筐体と、前記第２の筐体から延在する第２の貫通部材とを伴う、第２の区分と
を含む、請求項１８に記載のシステム。
【請求項２０】
前記第１の貫通部材は、前記第２の筐体内に位置付けられる、請求項１９に記載のシステム。
【請求項２１】
前記第２の筐体内の前記開口部は、前記第１の貫通部材によって画定される最大の横断面寸法より小さい横断面寸法を画定する、請求項２０に記載のシステム。
【請求項２２】
前記第１の区分および第２の区分は、前記送達部材に印加される張力が、前記第１の貫通部材および／または前記第２の筐体内の前記開口部を変形させるように、弾性材料から形成され、それによって、前記第１の区分および第２の区分を分離するように、前記第１の貫通部材が前記第２の筐体から抜去されることを可能にする、請求項２１に記載のシステム。
【請求項２３】
前記複数の区分はさらに、
その中に形成された開口部を有する第３の筐体と、前記第３の筐体から延在する第３の貫通部材とを伴う、第３の区分と、
その中に形成された開口部を有する第４の筐体と、前記第４の筐体から延在する第４の貫通部材とを伴う、第４の区分と
を含む、請求項２２に記載のシステム。
【請求項２４】
前記第３の貫通部材は、前記第４の筐体内に位置付けられる、請求項２３に記載のシステム。
【請求項２５】
前記第４の筐体内の前記開口部は、前記第３の貫通部材によって画定される最大横断面寸法より小さい横断面寸法を画定する、請求項２４に記載のシステム。
【請求項２６】
前記第３および第４の区分は、前記送達部材に印加される張力が、前記第３の貫通部材および／または前記第４の筐体内の前記開口部を変形させるように、弾性材料から形成され、それによって、前記第３の区分および第４の区分を分離するように、前記第３の貫通部材が前記第４の筐体から抜去されることを可能にする、請求項２５に記載のシステム。
【請求項２７】
血管内手技を行うためのシステムであって、
血管の管腔に挿入されるように構成されたガイドカテーテルと、
前記ガイドカテーテルを通して前進させられるように構成された送達部材であって、前記送達部材は、前記送達部材が前記血管の壁を形成する隣接組織層の間に位置付けられるように、前記ガイドカテーテルから展開されるように構成される、送達部材と、
前記血管の前記壁を形成する前記隣接組織層の間に送達されるように構成された化学薬剤と
を備える、システム。
【請求項２８】
前記送達部材の一部は、前記隣接組織層の間に置かれ、経時的に分解されるように構成され、前記送達部材の残りの部分は、前記血管から抜去されるように構成され、それにより、前記化学薬剤が、前記血管の前記組織の中へ放出されることができる、請求項２７に記載のシステム。
【請求項２９】
前記送達部材の第１の区分は、前記送達部材の第２の区分から分離されるように構成され、それにより、前記隣接組織層の間に置かれるように構成される、前記送達部材の前記一部が、置かれることができる、請求項２８に記載のシステム。
【請求項３０】
前記化学薬剤は、前記送達部材を通って延在する内部チャネルの中へ連通させられ、前記内部チャネルと連通している前記送達部材に形成された複数の半径方向開口部を通して前記血管の前記壁の中へ放出されるように構成され、それにより、前記化学薬剤が送達されることができる、請求項２７に記載のシステム。
【請求項３１】
前記化学薬剤は、前記送達部材を通って延在する内部チャネルの中へ連通させられ、前記送達部材の開放遠位端を通して放出されるように構成され、それにより、前記化学薬剤が送達されることができる、請求項２７に記載のシステム。
【請求項３２】
第１の化合物および第２の化合物を備え、前記第１の化合物および第２の化合物は、前記送達部材を通って延在する前記内部チャネルの中へ送達されるように構成され、前記第１の化合物および第２の化合物のうちの少なくとも１つは、前記化学薬剤を含み、前記第１の化合物および第２の化合物は、前記血管の前記壁を含む前記隣接組織層の間に位置付けられる中実の生分解性フィラメントを形成するために組み合わせられるように構成され、それにより、前記化学薬剤が送達されることができる、請求項３１に記載のシステム。
【手続補正２】
【補正対象書類名】明細書
【補正対象項目名】００１８
【補正方法】変更
【補正の内容】
【００１８】
現在開示される主題の他の側面、特徴、および利点は、明細書、図面、および請求項から明白である。
本願明細書は、例えば、以下の項目も提供する。
（項目１）
化学薬剤を組織に送達する際に使用するための送達部材であって、前記送達部材は、複数の離散的な分離可能区分を含む本体を備え、各区分は、内部空洞を画定する筐体と、前記筐体から延在する貫通部材とを含む、送達部材。
（項目２）
前記貫通部材は、前記組織を通した前記送達部材の通過を促進するように構成される、項目１に記載の送達部材。
（項目３）
前記貫通部材は、構成が鋭利である、項目２に記載の送達部材。
（項目４）
各区分は、構成が同一である、項目１に記載の送達部材。
（項目５）
前記筐体は、対向する第１の端部および第２の端部を含み、前記第１の端部は、その中に形成された開口部を含み、前記貫通部材は、前記第２の端部から延在する、項目１に記載の送達部材。
（項目６）
前記複数の区分は、印加された張力が隣接する区分を分離するような構成および寸法にされる、項目１に記載の送達部材。
（項目７）
前記複数の区分は、
その中に形成された開口部を有する第１の筐体と、前記第１の筐体から延在する第１の貫通部材とを伴う、第１の区分と、
その中に形成された開口部を有する第２の筐体と、前記第２の筐体から延在する第２の貫通部材とを伴う、第２の区分と、を含む、項目６に記載の送達部材。
（項目８）
前記第１の貫通部材は、前記第２の筐体内に位置付けられる、項目７に記載の送達部材。
（項目９）
前記第２の筐体内の前記開口部は、前記第１の貫通部材によって画定される最大の横断面寸法より小さい横断面寸法を画定する、項目８に記載の送達部材。
（項目１０）
前記第１の区分および第２の区分は、前記送達部材に印加される張力が、前記第１の貫通部材および／または前記第２の筐体内の前記開口部を変形させるように、弾性材料から形成され、それによって、前記第１の区分および第２の区分を分離するように、前記第１の貫通部材が前記第２の筐体から抜去されることを可能にする、項目９に記載の送達部材。
（項目１１）
前記複数の区分はさらに、
その中に形成された開口部を有する第３の筐体と、前記第３の筐体から延在する第３の貫通部材とを伴う、第３の区分と、
その中に形成された開口部を有する第４の筐体と、前記第４の筐体から延在する第４の貫通部材とを伴う、第４の区分と、を含む、項目１０に記載の送達部材。
（項目１２）
前記第３の貫通部材は、前記第４の筐体内に位置付けられる、項目１１に記載の送達部材。
（項目１３）
前記第４の筐体内の前記開口部は、前記第３の貫通部材によって画定される最大の横断面寸法より小さい横断面寸法を画定する、項目１２に記載の送達部材。
（項目１４）
前記第３の区分および第４の区分は、前記送達部材に印加される張力が、前記第３の貫通部材および／または前記第４の筐体内の前記開口部を変形させるように、弾性材料から形成され、それによって、前記第３の区分および第４の区分を分離するように、前記第３の貫通部材が前記第４の筐体から抜去されることを可能にする、項目１３に記載の送達部材。
（項目１５）
血管を処置する際に使用するためのシステムであって、
前記血管の管腔に挿入可能なガイドカテーテルであって、内部通路を画定する、ガイドカテーテルと、
前記ガイドカテーテルの前記内部通路に挿入可能な送達部材であって、各区分が抗再狭窄剤を含む、複数の離散的な分離可能区分を含む、送達部材と、を備える、システム。
（項目１６）
各区分は、構成が同一である、項目１５に記載のシステム。
（項目１７）
各区分は、内部空洞を画定する筐体と、前記血管を含む組織を通した前記送達部材の通過を促進するように構成される、前記筐体から延在する貫通部材とを含む、項目１５に記載のシステム。
（項目１８）
前記複数の区分は、前記送達部材に印加される張力が隣接区分を分離するような構成および寸法にされる、項目１７に記載のシステム。
（項目１９）
前記複数の区分は、
その中に形成された開口部を有する第１の筐体と、前記第１の筐体から延在する第１の貫通部材とを伴う、第１の区分と、その中に形成された開口部を有する第２の筐体と、前記第２の筐体から延在する第２の貫通部材とを伴う、第２の区分と、を含む、項目１８に記載のシステム。
（項目２０）
前記第１の貫通部材は、前記第２の筐体内に位置付けられる、項目１９に記載のシステム。
（項目２１）
前記第２の筐体内の前記開口部は、前記第１の貫通部材によって画定される最大の横断面寸法より小さい横断面寸法を画定する、項目２０に記載のシステム。
（項目２２）
前記第１の区分および第２の区分は、前記送達部材に印加される張力が、前記第１の貫通部材および／または前記第２の筐体内の前記開口部を変形させるように、弾性材料から形成され、それによって、前記第１の区分および第２の区分を分離するように、前記第１の貫通部材が前記第２の筐体から抜去されることを可能にする、項目２１に記載のシステム。
（項目２３）
前記複数の区分はさらに、
その中に形成された開口部を有する第３の筐体と、前記第３の筐体から延在する第３の貫通部材とを伴う、第３の区分と、
その中に形成された開口部を有する第４の筐体と、前記第４の筐体から延在する第４の貫通部材とを伴う、第４の区分と、を含む、項目２２に記載のシステム。
（項目２４）
前記第３の貫通部材は、前記第４の筐体内に位置付けられる、項目２３に記載のシステム。
（項目２５）
前記第４の筐体内の前記開口部は、前記第３の貫通部材によって画定される最大横断面寸法より小さい横断面寸法を画定する、項目２４に記載のシステム。
（項目２６）
前記第３および第４の区分は、前記送達部材に印加される張力が、前記第３の貫通部材および／または前記第４の筐体内の前記開口部を変形させるように、弾性材料から形成され、それによって、前記第３の区分および第４の区分を分離するように、前記第３の貫通部材が前記第４の筐体から抜去されることを可能にする、項目２５に記載のシステム。
（項目２７）
ガイドカテーテルを血管の管腔に挿入するステップと、
前記ガイドカテーテルを通して送達部材を前進させるステップと、
前記送達部材が前記血管の壁を形成する隣接組織層の間に位置付けられるように、前記ガイドカテーテルから前記送達部材を展開するステップと、
前記血管の前記壁を形成する前記隣接組織層の間に化学薬剤を送達するステップと、
を含む、血管内手技を行うための方法。
（項目２８）
前記化学薬剤を送達するステップは、前記隣接組織層の間に前記送達部材の一部を置くステップと、前記血管から前記送達部材の残りの部分を抜去するステップとを含み、前記隣接組織層の間に置かれる前記送達部材の前記一部は、経時的に分解し、それによって、前記化学薬剤が、前記血管の前記組織の中へ放出される、項目２７に記載の方法。
（項目２９）
前記送達部材の前記一部を置くステップは、前記送達部材の第２の区分から前記送達部材の第１の区分を分離するステップを含む、項目２８に記載の方法。
（項目３０）
前記化学薬剤を送達するステップは、前記送達部材を通って延在する内部チャネルの中へ前記化学薬剤を連通させるステップと、前記内部チャネルと連通している前記送達部材に形成された複数の半径方向開口部を通して、前記血管の前記壁の中へ前記化学薬剤を放出するステップとを含む、項目２７に記載の方法。
（項目３１）
前記化学薬剤を送達するステップは、前記送達部材を通って延在する内部チャネルの中へ前記化学薬剤を連通させるステップと、前記送達部材の開放遠位端を通して前記化学薬剤を放出するステップとを含む、項目２７に記載の方法。
（項目３２）
前記化学薬剤を送達するステップは、前記送達部材を通って延在する前記内部チャネルの中へ第１の化合物および第２の化合物を送達するステップであって、前記第１の化合物および第２の化合物のうちの少なくとも１つは、前記化学薬剤を含む、ステップと、前記血管の前記壁を含む前記隣接組織層の間に位置付けられる中実の生分解性フィラメントを形成するように、前記第１の化合物および第２の化合物を組み合わせるステップとを含む、項目３１に記載の方法。